(57)【要約】【課題】ロッドの突出量を複数段階に調節可能であると共に、各段階の突出位置を維持可能な錠前を提供する。【解決手段】  本発明は、ロッド２６を引戸４の上下方向に移動させて施錠が行われる引戸装置１用の錠前５であって、サムターン２０等の操作によって回動可能に設けられる作動部材２３と、ロッド２６の下端部に設けられ、作動部材２３の回動に従動して上下方向に移動可能なデッドボード２５と、を備え、作動部材２３とデッドボード２５との当接位置が切り替わることで、ロッド２６の突出位置が複数段階で切り替えられる。【選択図】図９
2014181480.tif 000002
【特許請求の範囲】
【請求項１】
ロッドを扉の上下方向に移動させて施錠が行われる錠前であって、
操作部の操作によって回動可能に設けられる作動部材と、
前記ロッドの端部に設けられ、前記作動部材の回動に従動して上下方向に移動可能なデッドボードと、を備え、
前記作動部材と前記デッドボードとの当接位置が切り替わることで、前記ロッドの突出位置が複数段階で切り替えられることを特徴とする錠前。
【請求項２】
前記作動部材に押圧された状態で設けられるバネを備え、
前記作動部材には径方向に突出する突起部が設けられ、
前記バネには、前記ロッドが所定の段階の突出位置にある場合に、前記突起部を嵌合させるバネ側凹部が形成されていることを特徴とする請求項１に記載の錠前。
【請求項３】
前記デッドボードには、前記固定カムに転接するクリックボールと、該クリックボールを前記固定カムに向かって付勢する押圧バネと、を備えるカムフォロアが設けられ、
前記固定カムには、前記ロッドが所定の段階の突出位置にある場合に、前記クリックボールを係合させるカム側凹部が形成されていることを特徴とする請求項１または２に記載の錠前。
【請求項４】
前記作動部材は、回動中心から径方向に延出する回動支持部と、該回動支持部の先端部から回動方向に湾曲して延出する回動湾曲部と、により鎌状に形成され、
前記デッドボードには、前記ロッドが各段階の突出位置にある場合に、前記回動湾曲部の外周面に当接する湾曲面部が形成され、
前記回動湾曲部と前記湾曲面部との当接面は、接線方向に傾斜していることを特徴とする請求項１ないし３のいずれかに記載の錠前。
【請求項５】
前記ロッドの突出位置は、第１段階と、該第１段階より突出し本施錠が行われる第２段階とに切り替えられ、
前記デッドボードは、第１デッドと、第２デッドと、から構成され、
前記作動部材は、前記第１デッドに当接する第１作動部材と、前記第２デッドに当接する第２作動部材と、を含んで構成され、
前記第１作動部材および前記第２作動部材は、前記回動支持部と、前記回動湾曲部と、により鎌状に形成され、
前記第１デッドには、前記ロッドが第１段階の突出位置にある場合に、前記第１作動部材の前記回動湾曲部の外周面に当接する第１湾曲面部が形成され、
前記第２デッドには、前記ロッドが第１段階の突出位置にある場合に、前記第２作動部材の前記回動湾曲部の先端面部に当接する第２接触面部が形成されると共に、前記ロッドが第２段階の突出位置にある場合に、前記第２作動部材の前記回動湾曲部の外周面に当接する第２湾曲面部が形成され、
前記各回動湾曲部と前記各湾曲面部との当接面は、接線方向に傾斜していることを特徴とする請求項４に記載の錠前。
【発明の詳細な説明】
【技術分野】
【０００１】
本発明は、引戸や折り戸等に好適に用いられる錠前に関する。
【背景技術】
【０００２】
上下に移動可能なロッドを、戸枠の横枠等に設けた受け具に係脱させて施解錠を行う錠前が、一般的に知られている。
【０００３】
例えば、特許文献１には、引戸を開放可能な解錠位置と、上枠に設けられた係止片に係止され開放不能な施錠位置と、の間で上下動するロッドを備えた錠前が開示されている。ロッドは、サムターンに直結したカムプレートの回動により上下動する可動体に接続されている。カムプレートは左右一対の板バネに挟持されて、その回動位置が維持されている。すなわち、カムプレートを挟む力によって、解錠位置または施錠位置にロッドを保持するようになっている。
【０００４】
また、近年、防犯性の向上を目的として、デッドボルトを、水平方向に２段階突出させた位置で本施錠とし、水平方向に１段階突出させた位置で一定以上の扉の開放を規制するガードロック機構が用いられている。
【先行技術文献】
【特許文献】
【０００５】
【特許文献１】特開２００８−２５５７２９号公報
【発明の概要】
【発明が解決しようとする課題】
【０００６】
しかしながら、上記した特許文献１に記載の技術では、一対の板バネでカムプレートを挟み込むことでロッドの上下位置が維持されていたため、ロッドを複数段階に突出可能に構成することが困難であった。例えば、ロッドを解錠位置と施錠位置との間の中間位置にするためにサムターン（カムプレート）の回動位置を調整したとしても、ロッド等の自重や外部からの振動等によってロッドが下降し、カムプレートが解錠（または施錠）方向に回動してしまう虞があった。
【０００７】
本発明は、上記のような課題を解決するためになされたものであり、ロッドの突出量を複数段階に調節可能であると共に、各段階の突出位置を維持可能な錠前を提供することを目的とする。
【課題を解決するための手段】
【０００８】
本発明の錠前は、ロッドを扉の上下方向に移動させて施錠が行われる錠前であって、操作部の操作によって回動可能に設けられる作動部材と、前記ロッドの端部に設けられ、前記作動部材の回動に従動して上下方向に移動可能なデッドボードと、を備え、前記作動部材と前記デッドボードとの当接位置が切り替わることで、前記ロッドの突出位置が複数段階で切り替えられることを特徴とする。
【０００９】
この構成によれば、例えば、ユーザが、手動で操作部を介して作動部材を回動させることにより、ロッドの上下方向の突出位置を複数段階に変更することができる。また、作動部材とデッドボードとの当接位置を切り替えることにより、ロッドを各段階の突出位置で保持することができる。これにより、例えば、ガードロック機構を構成して、引戸や折り戸等の開放を阻止する本施錠の他に、一定以上の引戸等の開放を規制してドアチェーンを掛けた場合と同じ状態（半開状態）にすることもできる。
【００１０】
この場合、前記作動部材に押圧された状態で設けられるバネを備え、前記作動部材には径方向に突出する突起部が設けられ、前記バネには、前記ロッドが所定の段階の突出位置にある場合に、前記突起部を嵌合させるバネ側凹部が形成されていることが好ましい。
【００１１】
この構成によれば、ユーザが作動部材を回動させ、ロッドを所定の段階の突出位置に移動させると、作動部材の突起部がバネ側凹部に嵌合する際に、クリック感がユーザに伝達される。これにより、ユーザは、ロッドの突出位置が各段階に設定されたことを明確に認識することができる。つまり、ユーザの操作感の向上を図ることができる。また、作動部材の回動に適度な負荷を与えることができるため、デッドボードおよびロッドの意図しない上下動がより適切に防止され、各段階の突出位置にロッドを保持することができる。
【００１２】
これらの場合、前記デッドボードには、前記固定カムに転接するクリックボールと、該クリックボールを前記固定カムに向かって付勢する押圧バネと、を備えるカムフォロアが設けられ、前記固定カムには、前記ロッドが所定の段階の突出位置にある場合に、前記クリックボールを係合させるカム側凹部が形成されていることが好ましい。
【００１３】
この構成によれば、ユーザがロッドを所定の段階の突出位置に移動させると、押圧バネで付勢されたクリックボールがカム側凹部に係合する際に、クリック感がユーザに伝達されるため、ユーザは、ロッドの突出位置が各段階に設定されたことを明確に認識することができる（操作感の向上）。また、クリックボールがカム側凹部に係合しているため、デッドボードおよびロッドの意図しない上下動がより適切に防止され、各段階の突出位置にロッドを保持することができる。
【００１４】
これらの場合、前記作動部材は、回動中心から径方向に延出する回動支持部と、該回動支持部の先端部から回動方向に湾曲して延出する回動湾曲部と、により鎌状に形成され、前記デッドボードには、前記ロッドが各段階の突出位置にある場合に、前記回動湾曲部の外周面に当接する湾曲面部が形成され、前記回動湾曲部と前記湾曲面部との当接面は、接線方向に傾斜していることが好ましい。
【００１５】
この構成によれば、作動部材とデッドボードとの当接面は、湾曲していると共に傾斜しているため、当接面に作用する力は、回動支持部を介して作動部材の回動中心に向かって働くこととなる。このため、ロッドおよびデッドボードが作動部材を回動させようとする力は、作動部材の回動中心に向かう力の分力となる。したがって、作動部材を回動させる力を小さくすることができるため、作動部材が意図せず回動することを防止することができる。これにより、例えば、ロッド等の自重や外部からの振動等によるロッドの下降を防止することができるため、ロッドを各段階の突出位置で適切に保持することができる。また、有効に機能するガードロック機構を構成することもできる。
【００１６】
この場合、前記ロッドの突出位置は、第１段階と、該第１段階より突出し本施錠が行われる第２段階とに切り替えられ、前記デッドボードは、第１デッドと、第２デッドと、から構成され、前記作動部材は、前記第１デッドに当接する第１作動部材と、前記第２デッドに当接する第２作動部材と、を含んで構成され、前記第１作動部材および前記第２作動部材は、前記回動支持部と、前記回動湾曲部と、により鎌状に形成され、前記第１デッドには、前記ロッドが第１段階の突出位置にある場合に、前記第１作動部材の前記回動湾曲部の外周面に当接する第１湾曲面部が形成され、前記第２デッドには、前記ロッドが第１段階の突出位置にある場合に、前記第２作動部材の前記回動湾曲部の先端面部に当接する第２接触面部が形成されると共に、前記ロッドが第２段階の突出位置にある場合に、前記第２作動部材の前記回動湾曲部の外周面に当接する第２湾曲面部が形成され、前記各回動湾曲部と前記各湾曲面部との当接面は、接線方向に傾斜していることが好ましい。
【００１７】
この構成によれば、ロッドの突出位置が、第１段階および第２段階のいずれであっても、各回動湾曲部と各湾曲面部との当接面は、湾曲していると共に傾斜しているため、各作動部材を回転させようとする力は、作動部材の回転中心に向かう力の分力となる。これにより、各作動部材を回転させる力を小さくすることができるため、ロッドを各段階の突出位置で適切に保持することができる。また、ロッドの突出位置を第１段階とすることにより、ガードロック機構を構成することもできる。
【発明の効果】
【００１８】
本発明によれば、ロッドの突出量を複数段階に調節可能であると共に、各段階の突出位置を維持可能な錠前を得ることができる。
【図面の簡単な説明】
【００１９】
【図１】本発明の一実施形態に係る引戸装置の全体構成を模式的に示す正面図であり、（ａ）は引戸を本施錠した状態を示し、（ｂ）は引戸の半開状態を示している。
【図２】本発明の一実施形態に係る引戸装置の戸先側上部を模式的に示す正面図である。
【図３】本発明の一実施形態に係るロッドが解錠位置にある錠前の内部構造を示す背面図である。
【図４】本発明の一実施形態に係る錠前を示しており、（ａ）は戸尻側断面図、（ｂ）は戸先側面図である。
【図５】本発明の一実施形態に係る錠前の錠ケースの背面図である。
【図６】本発明の一実施形態に係る錠前の作動部材の背面図である。
【図７】本発明の一実施形態に係る錠前の第１デッドの背面図である。
【図８】本発明の一実施形態に係る錠前の第２デッドの背面図である。
【図９】本発明の一実施形態に係るロッドが第１段階突出した状態の錠前の内部構造を示す背面図である。
【図１０】本発明の一実施形態に係るロッドが第２段階突出した状態の錠前の内部構造を示す背面図である。
【発明を実施するための形態】
【００２０】
以下、図面を参照しつつ、本発明の一実施形態に係る錠前を備えた引戸装置について説明する。ここで、図１は本実施形態に係る引戸装置の全体構成を模式的に示す正面図であり、（ａ）は引戸を本施錠した状態を示し、（ｂ）は引戸の半開状態を示している。図２は引戸装置の戸先側上部を模式的に示す正面図である。なお、以下の説明では、便宜上、図１において矢印で示した向きを基準として、各図において矢印で示すように各向きを設定する。また、図１の紙面手前を内側（正面）とし、紙面奥を外側（背面）とする。
【００２１】
図１および図２に示すように、引戸装置１は、建物の出入口に設けられ、上枠２ａ、戸先側竪枠２ｂ、戸尻側竪枠２ｃおよび下枠２ｄから成る枠本体２と、枠本体２内の開口部３に開閉自在に設けられる扉としての引戸４と、引戸４に設けられる錠前５と、を備えている。なお、本実施形態では、図１において、開口部３は左半分に形成され、右半分は壁体６で閉塞されている。
【００２２】
上枠２ａの下面には、下方が開放された略Ｕ字状断面の上側フレーム７が固定されている。この上側フレーム７には、引戸４をスライド自在に支持するレール８が内設されている。また、上側フレーム７の戸先側には、錠前５のロッド２６（後述する）の先端が係合する受け金具９が設けられている。下枠２ｄの左右方向略中央には、引戸４のスライドをガイドするガイドローラ１０が立設されている。
【００２３】
引戸４は、開口部３を閉塞可能な厚板形状を成し、引戸４の内壁面の戸先寄りの上下方向略中央箇所には、引戸４の開閉時に把持されるハンドル１１が固定されている。また、引戸４のハンドル１１の上方には、錠前５を操作するためのサムターン２０が取り付けられるサムターン開口（図示せず）が形成されている。なお、図示は省略するが、引戸４の外壁面にも同様にハンドル１１が固定され、シリンダ錠が取り付けられるシリンダ開口が形成されている。
【００２４】
引戸４の上端の戸先寄りおよび戸尻寄りの所定箇所には、それぞれブラケット（図示せず）を介して戸車１２が回転自在に支持されている。各戸車１２がレール８上に転動自在に載置されることにより、引戸４は、上側フレーム７に吊り下げられた状態で、レール８に沿ってスライドするようになっている。
【００２５】
錠前５の戸先寄りには、上下方向全体に亘ってロッド収容空間１３が形成されている。詳細には、ロッド収容空間１３は、引戸４の内壁および外壁（いずれも図示せず）と、錠前５が固定される内側木口１４と、引戸４を閉塞した時に戸先側竪枠２ｂに当接する外側木口１５と、により囲まれて形成されている。
【００２６】
次に、図３ないし図８を参照して、本実施形態に係る錠前５について詳細に説明する。ここで、図３はロッドが解錠位置にある錠前５の内部構造を示す背面図であり、図４（ａ）は戸尻側断面図、図４（ｂ）は戸先側面図である。図５は、錠前５の錠ケースの背面図である。図６は、錠前５の作動部材の背面図である。図７は第１デッドの背面図、図８は第２デッドの背面図である。
【００２７】
図３および図４に示すように、錠前５は、内側木口１４から引戸４の内部に設置される錠ケース２１およびケース蓋２２と、錠ケース２１の内部において、操作部としてのサムターン２０またはシリンダ錠に挿し込まれたキーの操作によって回動可能に設けられる作動部材２３と、作動部材２３に押圧された状態で設けられる板バネ２４と、作動部材２３の回動に従動して上下方向に移動可能なデッドボード２５と、デッドボード２５に取り付けられるロッド２６と、を備えて概略構成されている。
【００２８】
図３ないし図５に示すように、錠ケース２１は、背面側が開放された箱状に形成され、その戸先側端面には取付板３０が固定されている。この取付板３０には、上下一対のネジ用孔３１が開口しており、錠ケース２１は、引戸４に内設された状態で、各ネジ用孔３１に挿通したネジ（図示せず）により、内側木口１４に固定される。また、取付板３０には、デッドボード２５の上下方向の移動を許容するための上下に細長いスリット３０ａが形成されている。
【００２９】
図５に良く示されるように、錠ケース２１の上下方向略中央で、やや戸先寄りには、作動部材２３を回動可能に支持する円孔３２が形成されている。また、円孔３２の上下には、作動部材２３の回動を所定範囲に制限するための一対の回動規制軸３３が固定され、円孔３２の左右両側には、正面側からサムターン２０を位置決めして固定するための上下一対の固定開口３４が形成されている。下側の回動規制軸３３の右下方には、バネ支持軸３５が固定され、バネ支持軸３５の下方には、上下２つのカム係合部３６が設けられている。また、錠ケース２１の戸尻側下方には、上下方向に長い楕円形状のガイド溝３７が形成されている。
【００３０】
図３に良く示されるように、各カム係合部３６には、背面視で略Ｌ字状に形成された固定カム３８が取り付けられる。固定カム３８の上下方向に延設された部分には、２つのカム側凸部３８ａと３つのカム側凹部３８ｂとが波状に形成されている。
【００３１】
錠ケース２１の開放面は、ケース蓋２２により閉塞され（図４（ａ）参照）、ケース蓋２２は、錠ケース２１の戸尻側上角部および左右略中央下部に設けられた蓋固定部３９（図５参照）にネジ留め固定される。なお、図示および説明は省略するが、ケース蓋２２にも同様にシリンダ錠を位置決め固定するための円孔３２および各固定開口３４、各カム係合部３６およびガイド溝３７が形成されており、ケース蓋２２を閉塞することにより、各回動規制軸３３およびバネ支持軸３５の先端部が支持されるようになっている。
【００３２】
図３および図６に示すように、作動部材２３は、サムターン２０およびシリンダ錠の操作軸２０ａが挿入される孔が形成されるダルマ４０と、ダルマ４０と同一の回動中心を有して一体形成される第１作動部材４１および第２作動部材４２と、を有している。
【００３３】
ダルマ４０は、円筒状に形成され、円孔３２に回動可能に支持されている。そして、ダルマ４０は、公知であるようにサムターン２０またはシリンダ錠に挿し込まれたキーの回動操作によって回動するようになっている。ダルマ４０の外周には、背面視で略三角形状を成すように径方向に突出する突起部４３が設けられている。
【００３４】
第１作動部材４１は、ダルマ４０の回動中心から径方向に延設される第１回動支持部４４と、第１回動支持部４４の先端部から回動方向に湾曲して延設される第１回動湾曲部４５と、により背面視で鎌状（或いは鉤爪状）に形成されている。
【００３５】
第１回動支持部４４には、第１回動湾曲部４５の延出側で第１回動湾曲部４５との間に形成される半円形の第１回動規制部４４ａが形成されている。
【００３６】
第１回動湾曲部４５は、図６においてダルマ４０の同心円となるように時計回りに延出している。第１回動湾曲部４５の先端には、平坦な第１先端面部４５ａが形成されている。また、第１回動支持部４４の先端面と第１回動湾曲部４５の外周面とは同一外周面となるように形成されている。なお、以下の説明では、この面一に形成された外周面を第１外周面部４６と呼ぶこととする。
【００３７】
第２作動部材４２は、上記した第１作動部材４１と同様に、第２回動支持部４７と、第２回動湾曲部４８と、により背面視で鎌状（或いは鉤爪状）に形成されている。第２作動部材４２は、第１作動部材４１の背面側（図６の紙面手前側）に一体に設けられている。
【００３８】
第２回動支持部４７には、上記した第１回動規制部４４ａの回動方向反対側の位置に第２回動規制部４７ａが形成されている。
【００３９】
第２回動湾曲部４８は、図６においてダルマ４０の同心円となるように時計回りに僅かに延出している。第２回動湾曲部４８の延出量（長さ）は、第１回動湾曲部４５の延出量の１／４程度となっている。第２回動湾曲部４８の先端には、平坦な第２先端面部４８ａが形成されている。また、第２回動支持部４７の先端面と第２回動湾曲部４８の外周面とは同一外周面となるように形成されている。なお、以下の説明では、この面一に形成された外周面を第２外周面部４９と呼ぶこととする。第２外周面部４９は、上記した第１外周面部４６と同一外周面となるように形成されている。
【００４０】
図３に示すように、板バネ２４には、ダルマ４０の突起部４３が嵌合する略三角形状のバネ側凹部５０が形成されている。板バネ２４は、バネ支持軸３５に巻回した捩りバネ２４ａの一端部に起立姿勢となるように固定され、バネ支持軸３５より上方に延出している。そして、捩りバネ２４ａの他端部を下側の回動規制軸３３に掛合することで、この捩りバネ２４ａは、板バネ２４に作動部材２３側（戸先側）に向かう付勢力を作用させている。より正確には、捩りバネ２４ａの付勢力および板バネ２４自身の弾性力により、板バネ２４は、作動部材２３に押圧された状態で設けられている。
【００４１】
次に、図３、図７および図８に示すように、デッドボード２５は、錠ケース２１の正面側に設けられる第１デッド５１と、錠ケース２１の背面側に設けられる第２デッド５２と、が互いに前後方向に所定の間隙を有して対向配置されて構成されている。
【００４２】
図７に良く示されるように、第１デッド５１は、上下方向に延びる支持ボード５３と、支持ボード５３の上端部から戸先側に延設される延出ボード５４と、を有し、背面視で略Ｌ字状に形成されている。
【００４３】
支持ボード５３の上下方向略中央には、矩形状の第１凹設部５３ａが戸先側から切り込まれて形成されている。第１凹設部５３ａの上端には平坦な第１接触面部５５が形成され、第１接触面部５５の戸先側には、斜め上方に湾曲する第１湾曲面部５６が形成されている。第１凹設部５３ａの下側は、戸先側に僅かに突き出した第１突出部５７が形成され、第１突出部５７の上端面（第１凹設部５３ａの底面）は、戸先側に向かうに従って上傾するように形成されている。また、支持ボード５３の戸尻側の上下両端部には、それぞれ第１切欠き部５３ｂが形成されている。支持ボード５３の上部および第１凹設部５３ａの下側には、それぞれネジ孔５３ｃが形成されている。
【００４４】
延出ボード５４の戸先側端部には、ロッド２６を支持するためのロッド固定部５８が形成され、ロッド固定部５８は、取付板３０のスリット３０ａから錠ケース２１の外部に露出するようになっている。ロッド固定部５８には、上下２つの固定貫通孔５４ａが形成されている。
【００４５】
図８に良く示されるように、第２デッド５２は、背面視で上下方向に長い略矩形状に形成されており、上記した第１デッド５１の支持ボード５３と略同様の構成を有している。
【００４６】
第２デッド５２の上下方向略中央には、矩形状の第２凹設部５２ａが戸先側から切り込まれて形成されている。第２凹設部５２ａの上端には平坦な第２接触面部６０が形成され、第２接触面部６０の戸先側には、斜め上方に湾曲する第２湾曲面部６１が形成されている。第２凹設部５２ａの下側は、戸先側に僅かに突き出した第２突出部６２が形成され、第２突出部６２の上端面（第２凹設部５２ａの底面）は水平に形成されている。また、第２デッド５２の戸尻側の上端部には第２切欠き部５２ｂが形成され、支持ボード５３の各ネジ孔５３ｃに対応する位置には、それぞれネジ貫通孔５２ｃが形成されている。さらに、第２デッド５２の下部には、固定カム３８に沿って移動可能なカムフォロア６４を固定するフォロア固定部６３が設けられている。
【００４７】
図３に示すように、カムフォロア６４は、固定カム３８に転接するクリックボール６５と、クリックボール６５を固定カム３８に向かって付勢する押圧バネ６６と、を有している。
【００４８】
ここで、第１デッド５１と第２デッド５２とを所定の間隙で対向配置する手順について簡単に説明する。
【００４９】
図４（ａ）に良く示されるように、各ネジ孔５３ｃおよび各ネジ貫通孔５２ｃの形成位置に中空円筒状のスペーサ６７を配置する。そして、各ネジ貫通孔５２ｃおよび各スペーサ６７を貫通させた固定ネジＳ１の先端を各ネジ孔５３ｃに螺合させる。これにより、第１デッド５１と第２デッド５２とが所定の間隙を有して一体となったデッドボード２５を得ることができる。なお、詳細は後述するが、第１作動部材４１は第１デッド５１に当接し、第２作動部材４２は第２デッド５２に当接するようになっている。
【００５０】
上記した第１デッド５１（支持ボード５３）および第２デッド５２の各凹設部５３ａ，５２ａの戸尻側下方には、スライド軸６８を支持するスライド軸孔６９が貫通形成されている（図７および図８参照）。スライド軸６８は、スペーサ６７と同様の機能を果たすと共に、各スライド軸孔６９を貫通して第１デッド５１および第２デッド５２の外側に僅かに延出するように設けられている（図４（ａ）参照）。そして、第１デッド５１の正面側に突出したスライド軸６８の一端部は、錠ケース２１に形成されたガイド溝３７に係合する。同様に、第２デッド５２の背面側に突出したスライド軸６８の他端部は、ケース蓋２２に形成されたガイド溝３７に係合する。これにより、デッドボード２５は、スライド軸６８を介して、各ガイド溝３７に沿って上下方向にスライド自在に支持される（図３参照）。
【００５１】
次に、図３に示すように、ロッド２６は、第１デッド５１のロッド固定部５８にネジ留め固定されるロッド基部７０と、ロッド基部７０に保持されるロッド本体７１と、ロッド本体７１の上端部に取り付けられる第１係止部７２と、第１係止部７２の上端に設けられる第２係止部７３と、を有している。
【００５２】
ロッド基部７０は、ロッド本体７１の下端部を保持する基部本体７４と、基部本体７４の下方に延出する固定プレート７５と、により一体形成されている（図４（ｂ）参照）。固定プレート７５には、ロッド固定部５８の各固定貫通孔５４ａに対応する位置に上下一対の固定ネジ孔７６が形成されている。各固定貫通孔５４ａを貫通させた保持ネジＳ２の先端部を各固定ネジ孔７６に螺合させることで、ロッド基部７０がロッド固定部５８に固定される。
【００５３】
ロッド本体７１は中空円筒状に形成され、第１係止部７２はロッド本体７１よりも大径の中空円筒状に形成されている。第２係止部７３は、第１係止部７２よりも大径で、且つ上下方向に薄く形成されている。詳細は後述するが、第１係止部７２が受け金具９に係合することで半開状態とすることが可能となり、第２係止部７３が受け金具９に係合することで本施錠とすることが可能となる。なお、ロッド本体７１および第１係止部７２は中実円筒であってもよい。
【００５４】
次に、図３、図９および図１０を参照して、錠前５の動作について説明する。図９はロッド２６が第１段階突出した状態、図１０はロッド２６が第２段階突出した状態の錠前５の内部構造を示す背面図である。
【００５５】
本実施形態の錠前５は、ロッド２６の突出位置を、第１段階と、第１段階より突出し本施錠が行われる第２段階とに切り替えることができるようになっている。
【００５６】
まず、図３に示すように、錠前５のロッド２６の上端（第２係止部７３）は、引戸４の上端面から突出していない解錠位置にあるものとする。ロッド２６が解錠位置にある場合、ユーザは、ハンドル１１を把持して、引戸４をレール８に沿って左右方向にスライドさせることができ、開口部３を大きく開放させた全開状態とすることができる。
【００５７】
また、ロッド２６が解錠位置にある場合、第１作動部材４１および第２作動部材４２は、第１デッド５１および第２デッド５２に接触しておらず、互いに離間した状態となっている。具体的には、第１回動湾曲部４５は第１凹設部５３ａ内に配置され、第２回動湾曲部４８は第２凹設部５２ａ内に配置された状態となっている。また、第１デッド５１の第１突出部５７の下端面および第２デッド５２の第２突出部６２の下端面は、それぞれ固定カム３８の上端面に当接した状態となっている。さらに、カムフォロア６４のクリックボール６５は、固定カム３８の下側のカム側凹部３８ｂに係合された状態となっている。
【００５８】
また、ダルマ４０の突起部４３は、戸尻側下方に向いた状態で板バネ２４に押圧されている。第２回動規制部４７ａは下側の回動規制軸３３に当接し、図３において作動部材２３の反時計回りの回動が規制されている。すなわち、作動部材２３は、板バネ２４および捩りバネ２４ａの付勢力により、板バネ２４と下側の回動規制軸３３との間に挟持されている。
【００５９】
次に、ユーザが、サムターン２０等の回動操作を行うと、ダルマ４０を介して作動部材２３が同一方向に回動する。ここでは、作動部材２３は背面視で時計回りに回動するものとする。
【００６０】
サムターン２０等の回動に連動して作動部材２３の回動が進むと、ダルマ４０の突起部４３は、板バネ２４を付勢力に抗して戸尻方向に移動させる（図３の二点鎖線参照）。また、第１デッド５１の第１接触面部５５に、第１作動部材４１の第１先端面部４５ａが当接し（図３の二点鎖線参照）、第１デッド５１は上方に押し上げられる。これにより、第１デッド５１に接続されたロッド２６および第２デッド５２も上方に押し上げられる。
【００６１】
なお、第１デッド５１および第２デッド５２（デッドボード２５）は、戸尻側の端面が錠ケース２１の内壁面に摺接している。すなわち、デッドボード２５は、錠ケース２１の内壁面と、各ガイド溝３７にスライド自在に係合するスライド軸６８と、固定カム３８に転接するクリックボール６５を有するカムフォロア６４と、により案内されて上下方向に移動するようになっている。
【００６２】
図９に示すように、作動部材２３が解錠位置の状態から４５°回動すると、デッドボード２５の上昇が進み、ダルマ４０の突起部４３は板バネ２４のバネ側凹部５０に嵌合する。そして、板バネ２４は自身の弾性力で元の位置に移動する。このとき、第１接触面部５５と第１先端面部４５ａとの当接は解除され、第１デッド５１の第１湾曲面部５６に、第１作動部材４１の第１外周面部４６（の先端）が当接し始める。同時に、第２デッド５２の第２接触面部６０に、第２作動部材４２の第２先端面部４８ａが当接する。なお、カムフォロア６４のクリックボール６５は、固定カム３８の下側のカム側凸部３８ａを乗り越え、上下方向中央のカム側凹部３８ｂに付勢され、係合された状態となっている。
【００６３】
このとき、ロッド２６は、引戸４の上端面から第１段階突出した状態となっている。このように、ロッド２６の突出位置が第１段階にある場合、第１外周面部４６（第１回動湾曲部４５）と第１湾曲面部５６との当接面（当接部分）は、接線方向に傾斜している。詳細には、図９において戸尻側下方に傾斜している。したがって、例えば、デッドボード２５やロッド２６の重さや外部振動等により、第２接触面部６０に当接する第２先端面部４８ａに力が作用し、作動部材２３に反時計回りのモーメントが作用したとしても、第１外周面部４６が、第１湾曲面部５６に接触して引っ掛かるため、作動部材２３が反時計回りに回動することを防止することができる。これにより、デッドボード２５やロッド２６の下降を防止することができ、ロッド２６の突出位置を第１段階に維持することができる。
【００６４】
ロッド２６の突出位置が第１段階となった状態では、第１係止部７２が、一定量のスライドが許容された状態で受け金具９に係合する。これにより、引戸４の一定以上の開放が規制され、ドアチェーンを掛けた場合と同じ状態（半開状態）とすることができる（図１（ｂ）参照）。
【００６５】
続いて、ロッド２６の突出位置を第１段階から第２段階に切り替える作用について説明する。
【００６６】
図１０に示すように、ユーザは、サムターン２０等の回動操作を行い、作動部材２３を第１段階の位置から更に４５°回動すると、板バネ２４のバネ側凹部５０に嵌合したダルマ４０の突起部４３は、付勢力に抗して板バネ２４を戸尻方向に移動させ、やがてバネ側凹部５０から離脱する。すると、第１湾曲面部５６と第１外周面部４６との当接は解除され、第２デッド５２の第２湾曲面部６１に、第２作動部材４２の第２外周面部４９が当接し、更にデッドボード２５を押し上げる。なお、カムフォロア６４のクリックボール６５は、固定カム３８の上側のカム側凸部３８ａを乗り越え、固定カム３８の上部のカム側凹部３８ｂに付勢された状態となっている。
【００６７】
また、第２段階の突出位置では、第１作動部材４１は、第１デッドに接触しておらず、互いに離間した状態となっている。ダルマ４０の突起部は、戸尻側上方に向いた状態で板バネ２４に押圧されている。第１回動規制部４４ａは上側の回動規制軸３３に係合し、図１０において作動部材２３の時計回りの回動が規制されている。すなわち、作動部材２３は、板バネ２４および捩りバネ２４ａの付勢力により、板バネ２４と上側の回動規制軸３３との間に挟持されている。
【００６８】
このとき、ロッド２６は、第２段階突出した状態となっている。第２段階の突出位置では、第１段階の突出位置よりも上方にロッド２６先端が位置することとなる。すなわち、本実施形態に係る錠前５は、作動部材２３とデッドボード２５との当接位置を切り替えることで、ロッド２６の突出位置を、解錠位置と、第１段階と、第２段階との間で切り替えることができるようになっている。
【００６９】
このように、ロッド２６の突出位置が第２段階にある場合、第２外周面部４９（第２回動湾曲部４８）と第２湾曲面部６１との当接面（当接部分）は、接線方向に傾斜している。詳細には、図１０において戸尻側下方に傾斜している。これにより、作動部材２３が反時計回りに回動することがなく、デッドボード２５やロッド２６の下降を防止することができ、ロッド２６の突出位置を第２段階に維持することができる。
【００７０】
ロッド２６の突出位置が第２段階となった状態では、第１係止部７２が受け金具９に係止され、引戸４の開放を阻止する本施錠とすることができる（図１（ａ）参照）。
【００７１】
以上の本実施形態に係る錠前５によれば、例えば、ユーザが、手動でサムターン２０等を介して作動部材２３を回動させることにより、ロッド２６の上下方向の突出位置を複数段階に変更することができる。また、作動部材２３とデッドボード２５との当接位置を切り替えることにより、ロッド２６を各段階の突出位置で保持することができる。これにより、半開状態と本施錠とを切り替え可能なガードロック機構を構成することができる。
【００７２】
また、本実施形態に係る錠前５によれば、ユーザが作動部材２３を回動させ、ロッド２６を第１段階の突出位置に移動させると、作動部材２３の突起部４３が板バネ２４のバネ側凹部５０に嵌合する際に、クリック感がユーザに伝達される。これにより、ユーザは、ロッド２６の突出位置が第１段階に設定されたことを明確に認識することができる。つまり、ユーザの操作感の向上を図ることができる。なお、突起部４３がバネ側凹部５０から離脱する際にも、同様にクリック感がユーザに伝わるため、ロッド２６が解錠位置または第２段階の突出位置に設定されたこともユーザは明確に認識することができる。また、作動部材２３の回動に適度な負荷を与えることができるため、デッドボード２５およびロッド２６の意図しない上下動がより適切に防止され、各段階の突出位置にロッド２６を保持することができる。
【００７３】
同様に、押圧バネ６６で付勢されたクリックボール６５が、各カム側凹部３８ｂに係合する際にも、クリック感がユーザに伝達されるため、ユーザの操作感を向上させることができる。また、固定カム３８に対するカムフォロア６４のクリックボール６５の付勢力も、作動部材２３の回動に負荷を与えるため、各段階の突出位置にロッド２６を保持することができる。
【００７４】
さらに、本実施形態に係る錠前５によれば、各作動部材４１，４２と各デッド５１，５２との当接面（接触部分）は、湾曲していると共に傾斜しているため、当接面に作用する力は、各回動支持部４４，４７を介して作動部材２３（ダルマ４０）の回動中心に向かって働くこととなる。このため、ロッド２６およびデッドボード２５が作動部材２３を回動させようとする力は、作動部材２３の回動中心に向かう力の分力となる。したがって、作動部材２３を回動させる力を小さくすることができるため、作動部材２３が意図せず回動することを防止することができる。これにより、例えば、ロッド２６等の自重や外部からの振動等によるロッド２６の下降を防止することができるため、ロッド２６を各段階の突出位置で適切に保持することができる。また、有効に機能するガードロック機構を構成することもできる。
【００７５】
なお、本実施形態に係る錠前５は、解錠位置の状態から、作動部材２３（ダルマ４０）を４５°回動させて第１段階、９０°回動させて第２段階となるように構成されていたが、これに限らず、任意の角度に回動させて各段階となるように構成してもよい。また、本実施形態に係る錠前５は、ロッド２６の突出位置を第１段階と第２段階との２段階（解錠位置を含むと３段階）に設定可能となっていたが、これに限らず、３段以上（解錠位置を含むと４段階以上）に設定可能なように構成してもよい。この場合、板バネ２４のバネ側凹部５０や固定カム３８のカム側凹部３８ｂを、段数に応じて複数形成する。
【００７６】
なお、本実施形態に係る錠前５は、ロッド２６を上方に突出させて施錠（本施錠および仮施錠）するように構成されていたが、これに限らず、ロッド２６を下方に突出させて施錠を行うように構成してもよい。この場合、受け金具９は下枠２ｄに設ける。また、他にも、２本のロッド２６を設け、上下両方に各ロッド２６をそれぞれ突出させて施錠を行う構成としてもよい。
【００７７】
なお、本実施形態では、錠前５を引戸４に用いたが、折り戸や開き戸に適用してもよい。また、壁体６を省略し、２枚の引戸４を引き違いに設けてもよい。
【００７８】
なお、上記した本発明の実施形態の説明は、本発明に係る錠前５における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００７９】
４  引戸（扉）
５  錠前
２３  作動部材
２４  板バネ（バネ）
２５  デッドボード
２６  ロッド
３８  固定カム
３８ｂ  カム側凹部
４１  第１作動部材
４２  第２作動部材
４３  突起部
４４  第１回動支持部
４５  第１回動湾曲部
４７  第２回動支持部
４８  第２回動湾曲部
４８ａ  第２先端面部
５０  バネ側凹部
５１  第１デッド
５２  第２デッド
５６  第１湾曲面部
６０  第２接触面部
６１  第２湾曲面部
６４  カムフォロア
６５  クリックボール
６６  押圧バネ
【図１】
2014181480.tif 000003
【図２】
2014181480.tif 000004
【図３】
2014181480.tif 000005
【図４】
2014181480.tif 000006
【図５】
2014181480.tif 000007
【図６】
2014181480.tif 000008
【図７】
2014181480.tif 000009
【図８】
2014181480.tif 000010
【図９】
2014181480.tif 000011
【図１０】
2014181480.tif 000012